(57)【特許請求の範囲】
【請求項１】
送信装置から操作信号を受信する受信手段と、応答信号を送信する送信手段と、上記受信手段と上記送信手段に接続された制御手段を備えた門扉の施解錠の遠隔操作用で門扉に装着された受信装置であって、電池に接続され複数の抵抗からなる分圧手段と、上記分圧手段に接続された切換手段を上記制御手段に接続し、上記操作信号を受信すると、上記制御手段が上記操作信号に応じて上記門扉の施錠又は解錠の駆動信号を出力し、上記切換手段を切換えて上記分圧手段からの電圧によって電池電圧を検出して、上記電池電圧が所定値以下の場合には上記送信手段から警告コードを上記送信装置へ送信する受信装置。
【発明の詳細な説明】
【技術分野】
【０００１】
本発明は、主に門扉の施解錠等の遠隔操作に使用される受信装置に関するものである。
【背景技術】
【０００２】
近年、門扉の施解錠等を、機械式キーにより直接操作することに加え、携帯した送信装置から受信装置に操作信号を送信し、離れた箇所から遠隔操作することが一般的に行われており、使い易く確実な操作の可能なものが求められている。
【０００３】
このような従来の受信装置や通信システムについて、図４を用いて説明する。
【０００４】
図４は従来の通信システムのブロック回路図であり、同図において、１はアンテナ等の送信手段、２はマイコン等の制御手段、３Ａと３Ｂはスイッチで、上下面に複数の配線パターンが形成された配線基板（図示せず）にこれらが実装され、送信手段１とスイッチ３Ａ、３Ｂが制御手段２に接続されている。
【０００５】
そして、これらを略箱型で絶縁樹脂製のケース（図示せず）が覆い、スイッチ３Ａ、３Ｂにはケースから突出する押釦等が装着されて、送信装置４が構成されている。
【０００６】
また、５はアンテナ等の受信手段、６はマイコン等の制御手段で、これらが配線基板（図示せず）に実装され、受信手段５が制御手段６に接続されて、受信装置７が形成されている。
【０００７】
さらに、このような受信装置７が門扉に装着されると共に、受信装置７の制御手段６には電池８と、門扉の錠機構（図示せず）を駆動するモータ等の駆動手段９が接続されて、通信システムが構成される。
【０００８】
以上の構成において、門扉とある程度離れた場所から、携帯した送信装置４の例えば解錠用のスイッチ３Ａを押圧操作すると、スイッチ３Ａの電気的接離が行われ、この電気的接離に応じて制御手段２が、解錠用の操作信号を送信手段１から電波として送信する。
【０００９】
そして、この操作信号を受信装置７の受信手段５が受信して、制御手段６が操作信号内の識別コード等によって操作者を確認すると、制御手段６から駆動信号が出力され、駆動手段９が駆動して門扉の錠のロックが解除される。
【００１０】
また、施錠用のスイッチ３Ｂを押圧操作した場合には、この電気的接離を制御手段２が検出して、施錠用の操作信号を電波として送信し、これを受信装置７が受信して、制御手段６が操作者を確認した後、駆動手段９を駆動して門扉の錠がロックされる。
【００１１】
つまり、門扉に接近し機械式キーによって、門扉の錠の施錠や解錠を直接行うことに加え、携帯した送信装置４を操作することによって、ある程度離れた場所からでも、門扉の施錠や解錠を遠隔操作できるように構成されているものであった。
【００１２】
なお、この出願の発明に関連する先行技術文献情報としては、例えば、特許文献１が知られている。
【先行技術文献】
【特許文献】
【００１３】
【特許文献１】特開２００８−１７７８１３号公報
【発明の概要】
【発明が解決しようとする課題】
【００１４】
しかしながら、上記従来の受信装置７や通信システムにおいては、電池８を用いて送信装置４からの操作信号を受信しているため、門扉まで交流電源を配線する等の手間がかからず、門扉への装着も容易ではあるが、電池８の電圧が所定値以下に低下、あるいは電池８が切れた場合には、送信装置４による遠隔操作が行えなくなってしまうという課題があった。
【００１５】
本発明は、このような従来の課題を解決するものであり、電池電圧の低下を操作者に知らせ、確実な遠隔操作が可能な受信装置を提供することを目的とする。
【課題を解決するための手段】
【００１６】
上記目的を達成するために本発明は、送信装置から操作信号を受信する受信手段と、応答信号を送信する送信手段と、上記受信手段と上記送信手段に接続された制御手段を備えた門扉の施解錠の遠隔操作用で門扉に装着された受信装置であって、電池に接続され複数の抵抗からなる分圧手段と、上記分圧手段に接続された切換手段を上記制御手段に接続し、上記操作信号を受信すると、上記制御手段が上記操作信号に応じて上記門扉の施錠又は解錠の駆動信号を出力し、上記切換手段を切換えて上記分圧手段からの電圧によって電池電圧を検出して、上記電池電圧が所定値以下の場合には上記送信手段から警告コードを上記送信装置へ送信するようにして受信装置を構成したものであり、門扉の錠を遠隔操作する都度、制御手段が電池電圧を検出し、電圧が所定値以下の場合には、これを操作者に知らせることができるため、使い易く確実な操作が可能な受信装置を得ることができるという作用を有するものである。
【発明の効果】
【００１７】
以上のように本発明によれば、使い易く確実な操作が可能な受信装置を実現することができるという有利な効果が得られる。
【図面の簡単な説明】
【００１８】
【図１】本発明の一実施の形態による通信システムのブロック回路図
【図２】同波形図
【図３】同波形図
【図４】従来の通信システムのブロック回路図
【発明を実施するための形態】
【００１９】
以下、本発明の実施の形態について、図１〜図３を用いて説明する。
【００２０】
なお、背景技術の項で説明した構成と同一構成の部分には同一符号を付して、詳細な説明を簡略化する。
【００２１】
（実施の形態）
図１は本発明の一実施の形態による通信システムのブロック回路図であり、同図において、１１はアンテナ等の送信手段、１２は同じく受信手段、１３はマイコン等の制御手段で、上下面に複数の配線パターンが形成された配線基板（図示せず）にこれらが実装され、送信手段１１と受信手段１２が制御手段１３に接続されている。
【００２２】
そして、１４Ａと１４Ｂ、１４Ｃはスイッチ、１５Ａと１５Ｂは発光ダイオード等の発光素子で、これらが制御手段１３に各々接続されると共に、この配線基板を略箱型で絶縁樹脂製のケース（図示せず）が覆い、スイッチ１４Ａや１４Ｂ、１４Ｃにはケースから突出する押釦等が装着されて、送信装置１６が構成されている。
【００２３】
また、１７はアンテナ等の受信手段、１８は同じく送信手段、１９はマイコン等の制御手段で、これらが配線基板（図示せず）に実装され、受信手段１７と送信手段１８が制御手段１９に接続されている。
【００２４】
さらに、２０は複数の固定抵抗器から形成された分圧手段、２１はトランジスタ等の切換手段で、この分圧手段２０と切換手段２１が制御手段１９に接続されて、受信装置２２が形成されている。
【００２５】
さらに、このような受信装置２２が門扉に装着されると共に、受信装置２２の制御手段１９には電池８と、門扉の錠機構（図示せず）を駆動するモータ等の駆動手段９が接続されて、通信システムが構成される。
【００２６】
以上の構成において、門扉とある程度離れた場所から、携帯した送信装置１６の例えば解錠用のスイッチ１４Ａを押圧操作すると、スイッチ１４Ａの電気的接離が行われ、この電気的接離に応じて制御手段１３が、図２（ａ）の波形図に示すような、識別コードＬと解錠用の操作コードＭ１から形成された、操作信号を送信手段１１から電波として送信する。
【００２７】
そして、この操作信号を受信装置２２の受信手段１７が受信して、制御手段１９が操作信号内の識別コードＬによって操作者を確認すると、制御手段１９から解錠用の駆動信号が出力され、駆動手段９が駆動して門扉の錠のロックが解除される。
【００２８】
また、この時、制御手段１９が切換手段２１を切換え、分圧手段２０からの電圧によって電池８の電圧を検出し、この電圧が所定値以上、例えば４Ｖを超える電圧である場合には、図２（ｂ）に示すような、識別コードＬと解錠用の応答コードＮ１から形成された、応答信号を送信手段１８から電波として送信する。
【００２９】
そして、この応答信号を送信装置１６の受信手段１２が受信すると、制御手段１３が例えば赤色の発光素子１５Ａを１回点滅させて、解錠用の操作信号が送信され、受信装置２２がこれを受信して、門扉の錠のロックが解除されたことを操作者に知らせる。
【００３０】
これに対し、受信装置２２の制御手段１９が検出した電池８の電圧が所定値以下、例えば４Ｖ以下であった場合には、図２（ｃ）に示すような、識別コードＬと解錠用の応答コードＮ１に、警告コードＰが加わった応答信号が送信手段１８から送信される。
【００３１】
そして、この応答信号を送信装置１６の受信手段１２が受信した場合には、制御手段１３が例えば赤色の発光素子１５Ａを、連続して１〜２秒間点滅させて、受信装置２２の電池８の電圧が所定値以下に低下し、電池８が切れかかっていることを操作者に知らせる。
【００３２】
なお、施錠用のスイッチ１４Ｂを押圧操作した場合には、この電気的接離を制御手段１３が検出して、施錠用の操作信号を電波として送信し、これを受信装置２２が受信して、制御手段１９が操作者を確認した後、駆動手段９を駆動して門扉の錠がロックされる。
【００３３】
また、この時にも、制御手段１９が切換手段２１を切換えて電池８の電圧を検出し、この電圧が４Ｖを超える電圧である場合には、識別コードＬと施錠用の応答コードから形成された応答信号を、４Ｖ以下であった場合には、これに警告コードＰが加わった応答信号を、各々送信手段１８から電波として送信する。
【００３４】
そして、この応答信号を送信装置１６が受信し、電池８の電圧が４Ｖを超えていた場合には、例えば緑色の発光素子１５Ｂを１回点滅させて、門扉の錠がロックされたことを操作者に知らせ、４Ｖ以下であった場合には、赤色の発光素子１５Ａを連続して１〜２秒間点滅させて、受信装置２２の電池８が切れかかっていることを操作者に知らせる。
【００３５】
さらに、門扉の施解錠がどうなっているか確認したい場合には、確認用のスイッチ１４Ｃを押圧操作すると、この電気的接離を制御手段１３が検出して、図３（ａ）の波形図に示すような、識別コードＬと確認コードＭ２から形成された、操作信号を送信手段１１から電波として送信する。
【００３６】
そして、この操作信号を受信装置２２が受信して、制御手段１９が門扉の錠が施錠状態か解錠状態かを確認し、例えば解錠状態である場合には、図３（ｂ）に示すような、識別コードＬと解錠用の応答コードＮ１から形成された、応答信号を送信手段１８から送信し、これを送信装置１６が受信すると、制御手段１３が赤色の発光素子１５Ａを１回点滅させて、門扉の錠が解錠状態であることを操作者に知らせる。
【００３７】
なお、門扉の錠が施錠状態であった場合には、識別コードＬと施錠用の応答コードから形成された応答信号が受信装置２２から送信され、これを送信装置１６が受信すると、緑色の発光素子１５Ｂを１回点滅させて、門扉の錠が施錠状態であることを操作者に知らせる。
【００３８】
また、この施解錠の確認操作を行った場合にも、制御手段１９が電池８の電圧を検出し、電池８の電圧が所定値以下であった場合には、例えば図３（ｃ）に示すような、識別コードＬと解錠用の応答コードＮ１に、警告コードＰが加わった応答信号を送信し、送信装置１６の赤色の発光素子１５Ａが連続して１〜２秒間点滅して、電池８が切れかかっていることを操作者に知らせる。
【００３９】
つまり、門扉に接近し機械式キーによって、門扉の錠の施錠や解錠を直接行うことに加え、携帯した送信装置１６を操作することによって、ある程度離れた場所からでも、門扉の施錠や解錠を遠隔操作できると共に、施解錠の遠隔操作や確認操作を行う都度、受信装置２２の電池８の電圧を操作者が確認できるように構成されている。
【００４０】
すなわち、施解錠の遠隔操作や確認操作の都度、制御手段１９が切換手段２１を切換え、分圧手段２０からの電圧によって、電池８の電圧を検出すると共に、この電圧が所定値以下の場合には、送信手段１８から警告コードＰを送信することで、電池８の電圧が低下し切れかかっている場合には、これを操作者に知らせ、施錠あるいは解錠したつもりが、実際にはされていなかったというような、不具合を防ぐことができるようになっている。
【００４１】
また、送信装置１６による操作が行われた場合にのみ、制御手段１９が切換手段２１を切換え、分圧手段２０からの電圧を検出することで、操作が行われていない間はこれらに電池８から電源が供給されていないため、電池８の消耗を少なくし、省電力化が図れるように形成されている。
【００４２】
なお、以上の説明では、送信装置１６に発光素子１５Ａと１５Ｂを設け、解錠時には発光素子１５Ａを、施錠時には発光素子１５Ｂを各々点滅させる構成について説明したが、発光素子を一つにし、その点滅回数や間隔を変えて施錠や解錠、あるいは電池８の電圧低下を知らせるようにすれば、構成部品を減らし、送信装置１６をより安価に形成することができる。
【００４３】
このように本実施の形態によれば、制御手段１９が電池８の電圧を検出すると共に、この電圧が所定値以下の場合には、送信手段１８から警告コードＰを送信することによって、門扉の錠を遠隔操作する都度、制御手段１９が電池８の電圧を検出し、電圧が所定値以下の場合には、これを操作者に知らせることができるため、使い易く確実な操作が可能な受信装置２２を得ることができるものである。
【００４４】
また、受信装置２２と送信装置１６が電波によって双方向に通信を行うと共に、送信装置１６に発光素子１５Ａや１５Ｂを設け、これによって施解錠の遠隔操作や確認操作、あるいは電池８の電圧低下を知らせることで、操作や電池電圧の確認を操作者が容易に行うことが可能な、通信システムとすることができる。
【産業上の利用可能性】
【００４５】
本発明による受信装置は、使い易く確実な操作が可能なものが得られ、主に門扉の施解錠等の遠隔操作用として有用である。
【符号の説明】
【００４６】
８  電池
９  駆動手段
１１  送信手段
１２  受信手段
１３  制御手段
１４Ａ、１４Ｂ、１４Ｃ  スイッチ
１５Ａ、１５Ｂ  発光素子
１６  送信装置
１７  受信手段
１８  送信手段
１９  制御手段
２０  分圧手段
２１  切換手段
２２  受信装置
【図１】
0005556190.tif 000002
【図２】
0005556190.tif 000003
【図３】
0005556190.tif 000004
【図４】
0005556190.tif 000005